(57)【要約】【課題】電磁弁を室内機に配置しても、ユニットの構成、大きさを従来と同等にできるとともに、電磁弁の音対策、電磁弁への着露対策、ドレンカバーの着露対策を施した空気調和装置を得ること。【解決手段】この発明に係る空気調和装置は、室内機本体と、この本体内に収納され、空気と熱交換を行う熱交換器と、この熱交換器の側端部に設けられた電磁弁と、本体内に設けられ、露を回収するドレンパンと、電磁弁の前面側に配置され、電磁弁周辺に着露した露をドレンパンに回収するドレンカバーとを備えたものである。【選択図】図３
2006184003.tif 000002
【特許請求の範囲】
【請求項１】
室内機本体と、
この本体内に収納され、空気と熱交換を行う熱交換器と、
この熱交換器の側端部に設けられた電磁弁と、
前記本体内に設けられ、露を回収するドレンパンと、
前記電磁弁の前面側に配置され、前記電磁弁周辺に着露した露を前記ドレンパンに回収するドレンカバーと、
を備えたことを特徴とする空気調和装置。
【請求項２】
送風機を駆動するモーターを固定するモーターバンドを備え、前記ドレンカバーは前記モーターバンドから形成されたドレンカバー固定リブで着脱自在に保持されることを特徴とする請求項１記載の空気調和装置。
【請求項３】
室内機本体と、
この本体内に収納され、空気と熱交換を行う熱交換器と、
この熱交換器の側端部に設けられた電磁弁と、
前記本体内に設けられ、露を回収するドレンパンと、
前記電磁弁の前面側に配置され、前記電磁弁周辺に着露した露を前記ドレンパンに回収するドレンカバーと、
前記熱交換器の側端部に設けられ、前記ドレンカバーを着脱自在に固定する固定部を有する電気品ユニットと、
を備えたことを特徴とする空気調和装置。
【請求項４】
室内機本体と、
この本体の前面を形成するフロントパネルと、
この本体内に収納され、空気と熱交換を行う熱交換器と、
この熱交換器の側端部に設けられた電磁弁と、
前記本体内に設けられ、露を回収するドレンパンと、
前記電磁弁の前面側に配置され、前記フロントパネルと一体に形成され、前記電磁弁周辺に着露した露を前記ドレンパンに回収するドレンカバーと、
を備えたことを特徴とする空気調和装置。
【請求項５】
前記フロントパネルの裏側の電磁弁部に、前記ドレンカバーが受けた露を前記ドレンパンに案内するリブを形成したことを特徴とする請求項４記載の空気調和装置。
【請求項６】
前記ドレンカバーの固定部・接続部において、前記ドレンカバー側に二重リブを形成し、その二重リブの間に前記モーターバンドから形成されたドレンカバー固定リブを挿入することを特徴とする請求項２記載の空気調和装置。
【発明の詳細な説明】
【技術分野】
【０００１】
この発明は、空気調和装置室内機の部品配置構成、及びその露受け対策に関するものである。
【背景技術】
【０００２】
例えば、スプリット型の空気調和機に備えられた室内機には室内側の熱交換器が収納されている。熱交換器は、室外側に配置された圧縮機や室外側の熱交換器に冷媒配管を介して接続されており、ヒートポンプ式の冷凍サイクルを構成している。
【０００３】
室内側熱交換器は、冷凍サイクルの運転状態  冷房・暖房  の切替に応じて蒸発器または凝縮器として機能する単体であるものと、１つの熱交換器を２分割し、除湿運転の際に分割された熱交換器の一方が蒸発器、他方が凝縮器、再熱器として利用されるものがある。
【０００４】
図１０は、例えば特開平７−２７３６０号公報に示された１つの熱交換器を２分割した従来の空気調和機の室内機を示す図である。この室内機においては、筐体を構成する本体としての室内機本体に熱交換器１から右側にそれぞれ熱交換器配管群２、電子膨張弁２０、電気部品箱１９が順に配置されている。
【０００５】
また、図１１は、例えば特開平９−２８０５９７号公報に示された従来の空気調和機の室内機の膨張機構部分に制音板を設けた例を示す図である。この空気調和機は本体内部に熱交換器１、制御用の回路部品が納められた電気部品箱２２を有し、熱交換器１には電子膨張弁２５、熱交換器配管群２などの膨張機構が右側面に接続されている。さらに熱交換器１の下方にはドレンパン５が固定されている。
【０００６】
制音板２１は上述の膨張機構を覆うように熱交換器１にはネジＡ２３によって、ドレンパン５にはネジＢ２４によってそれぞれ固定されている。
図１２に制音板２１の形状を示し、図示のような板金で折り曲げ加工によって製作される。
【特許文献１】特開平７−２７３６０号公報
【特許文献２】特開平９−２８０５９７号公報
【発明の開示】
【発明が解決しようとする課題】
【０００７】
従来の空気調和装置は、電磁弁本体設置により電磁弁の幅分のスペースが必要となり、本体幅を増すか、または熱交換器の幅を小さくするしかなかった。
また、電磁弁の音対策のために防音材を設ける必要があった。
また、他のパイプからの露の電磁弁への滴下の恐れがあった。
さらに、ドレンカバーの固定部より露が漏れ、ドレンパン外に露が滴下するなどの問題点があった。
【０００８】
この発明は、上記のような問題点を解消するためになされたもので、電磁弁を室内機に配置しても、ユニットの構成、大きさを従来と同等にできるとともに、電磁弁の音対策、電磁弁への着露対策、ドレンカバーの着露対策を施した空気調和装置を得ることを目的とする。
【課題を解決するための手段】
【０００９】
この発明に係る空気調和装置は、室内機本体と、この本体内に収納され、空気と熱交換を行う熱交換器と、この熱交換器の側端部に設けられた電磁弁と、本体内に設けられ、露を回収するドレンパンと、電磁弁の前面側に配置され、電磁弁周辺に着露した露をドレンパンに回収するドレンカバーとを備えたものである。
【発明の効果】
【００１０】
この発明に係る空気調和装置は、電磁弁の前面側に電磁弁周辺に着露した露をドレンパンに回収するドレンカバーを設けたことにより、ドレンカバーにより確実に電磁弁に着露した露を回収できるとともに、ドレンカバーを別体にすることにより電磁弁のサービス時の対応を可能とした。
【発明を実施するための最良の形態】
【００１１】
実施の形態１．
以下、この発明の実施の形態１を図面を参照して説明する。
図１，２は実施の形態１を示す図で、図１は空気調和機全体の断面図、図２は空気調和機全体の正面図である。
図１、２において、１は筐体７に固定された熱交換器、３は熱交換器１の熱交換器配管群２より外側に配置された電磁弁、４は電磁弁３を食い込ませるために本体側面に凹状部１３を設けた電気品ユニットである。５は露を回収するドレンパンである。６は空気の吸い込み口を有するフロントパネル、８は送風を行うラインフローファン（登録商標）、１２は電気品ユニット４の内部の下部に配置された端子盤を示す。
【００１２】
熱交換器１の右側端部の熱交換器配管群２より右側に電磁弁３を配置し、その電磁弁３のさらに右側に電気品ユニット４を配置する。電磁弁３は電気品ユニット４の側面に一部に食い込むように配置され、電気品ユニット４には側面が凹状部１３が構成される。よって、電磁弁３は、上側、右側、下側を電気品ユニット４の壁で囲まれた配置となる。
【００１３】
この配置をとることにより、スペースを効率良く使用でき、電磁弁３の追加によるユニット幅の増大あるいは、熱交換器１を縮小する必要は無い。
また、電気品ユニット４の凹状部１３により、端子盤１２は、スペースのある下部で電磁弁３の下部に配置されるので、据え付け工事や、サービス時に配線の取り回しが容易である。
また、電磁弁３を電気品ユニット４にて囲む構成となるため、それが遮音の役目をはたす。
【００１４】
上述の実施の形態では、熱交換器１の右側に電磁弁３、電気品ユニット４を配置したものを示したが、右側に限定されるものではない。
【００１５】
この発明の実施の形態に係る空気調和装置は、室内機本体と、この本体内に収納され、空気と熱交換を行う熱交換器と、この熱交換器の側端部に設けられた電磁弁と、熱交換器の側端部に設けられ、電磁弁を内部に食い込むように配置するための凹状部を有する電気品ユニットと、を備えたものである。
【００１６】
この発明の実施の形態に係る空気調和装置は、電磁弁を内部に食い込むように配置するための凹状部を電気品ユニットに設けたことにより、スペースを有効に活用できるため、本体の大きさや、熱交換器の大きさを犠牲にせず構成が可能となる。
【００１７】
この発明の実施の形態に係る空気調和装置は、電気品ユニットと電磁弁とを、熱交換器の右側端部に配置したものである。
【００１８】
この発明の実施の形態に係る空気調和装置は、電磁弁の上部、一側部、下部を前記電気品ユニットの壁で囲む配置とするものである。
【００１９】
この発明の実施の形態に係る空気調和装置は、電磁弁を電気品ユニットにて囲む構成となるため、電磁弁の音を遮音する効果を奏する。
【００２０】
この発明の実施の形態に係る空気調和装置は、電気品ユニットは端子盤を備え、この端子盤を前記電気品ユニット下部へ配置したものである。
【００２１】
この発明の実施の形態に係る空気調和装置は、端子盤が電気品ユニット下部に配置されるので、据え付け工事や、サービス時に配線の取り回しが容易である。
【００２２】
実施の形態２．
以下、この発明の実施の形態２を図面を参照して説明する。
図３，４は実施の形態２を示す図で、空気調和機の断面図である。
図３，４において、１は筐体７に固定された熱交換器、３は熱交換器１の熱交換器配管群２より外側に配置された電磁弁、５は露を回収するドレンパンである。６はフロントパネル、９は電磁弁３のドレン水１５を受けるドレンカバーで、電磁弁３の正面側に配置される。ドレンカバー９はモーター１０を固定するモーターバンド１１から形成されるドレンカバー固定リブ１４で保持される。
【００２３】
次に動作について説明する。
電磁弁３の正面部にドレンカバー９は配置される。電磁弁３正面と下部をこのドレンカバー９で覆うことによりドレン水１５がドレンパン５に回収される。このとき、ドレンカバー９は、モーター１０を固定するモーターバンド１１から形成されるドレンカバー固定リブ１４で保持される。このドレンカバー９とドレンカバー固定リブ１４は複数のツメにて接合され、電磁弁３のサービス時には、これを取り外しサービス可能としたものである。
【００２４】
上述の実施の形態によれば、ドレンカバー９により確実に電磁弁３に着露した露を回収できる。
また、ドレンカバー９を別体にすることにより電磁弁３のサービス時の対応を可能とした。
【００２５】
この発明の実施の形態に係る空気調和装置は、送風機を駆動するモーターを固定するモーターバンドを備え、ドレンカバーはモーターバンドから形成されたドレンカバー固定リブで着脱自在に保持されるものである。
【００２６】
実施の形態３．
以下、この発明の実施の形態３を図面を参照して説明する。
図５は実施の形態３を示す図で、空気調和機の断面図である。
図において、電気品ユニット４の側面に固定されたドレンカバー９を示す。
【００２７】
電気品ユニット４の側面にドレンカバー９を固定する。このドレンカバー９と電気品ユニット４は複数のツメにて接合され、電磁弁３のサービス時には、これを取り外しサービス可能としたものである。
【００２８】
この発明の実施の形態に係る空気調和装置は、室内機本体と、この本体内に収納され、空気と熱交換を行う熱交換器と、この熱交換器の側端部に設けられた電磁弁と、本体内に設けられ、露を回収するドレンパンと、電磁弁の前面側に配置され、電磁弁周辺に着露した露をドレンパンに回収するドレンカバーと、熱交換器の側端部に設けられ、ドレンカバーを着脱自在に固定する固定部を有する電気品ユニットと、を備えたものである。
【００２９】
この発明の実施の形態に係る空気調和装置は、電気品ユニットにドレンカバーを着脱自在に固定する固定部を設けたので、電磁弁のサービス時には、電磁弁を取り外しサービス可能としたものである。
【００３０】
実施の形態４．
以下、この発明の実施の形態４を図面を参照して説明する。
図６は実施の形態４を示す図で、空気調和機の断面図である。
図において、フロントパネル６の裏面、電磁弁３の正面部にフロントパネル６と一体のドレンカバー９をリブ１８にて形成する。
【００３１】
フロントパネル６の裏面で電磁弁３の正面部にリブ１８にてドレン水１５の流れるトイを形成しドレンパン５にドレン水１５を導く。フロントパネル６とドレンカバー９を一体化したものである。電磁弁３のサービス時はフロントパネル６を外すことにより、サービス可能となる。
【００３２】
上述の実施の形態によれば、ドレンカバー９をフロントパネル６と一体にすることにより、作業性の改善、原低を図れる。
【００３３】
この発明の実施の形態に係る空気調和装置は、室内機本体と、この本体の前面を形成するフロントパネルと、この本体内に収納され、空気と熱交換を行う熱交換器と、この熱交換器の側端部に設けられた電磁弁と、本体内に設けられ、露を回収するドレンパンと、電磁弁の前面側に配置され、フロントパネルと一体に形成され、電磁弁周辺に着露した露をドレンパンに回収するドレンカバーと、を備えたものである。
【００３４】
この発明の実施の形態に係る空気調和装置は、ドレンカバーをフロントパネルと一体にすることにより、作業性の改善、原低を図れる。
【００３５】
この発明の実施の形態に係る空気調和装置は、フロントパネルの裏側の電磁弁部に、ドレンカバーが受けた露をドレンパンに案内するリブを形成したものである。
【００３６】
実施の形態５．
以下、この発明の実施の形態５を図面を参照して説明する。
図７〜９は実施の形態５を示す図で、図７は空気調和機の部分上面図、図８は空気調和機の部分正面図、図９は空気調和機の部分断面図である。
図７〜９において、３は電磁弁、１４はドレンカバー固定リブ、９はドレンカバー、１６は露漏れ防止用二重リブ、１７はドレンカバー９固定用ツメを示す。
【００３７】
モーターバンド１１に形成されたドレンカバー固定リブ１４と、ドレンカバー９の接続部において、固定は複数の固定ツメ１７にて固定される。
ドレンカバー固定リブ１４との接続部のドレンカバー側の内側と外側に２重リブ１６が上から下まで走っている。これによりドレン水１５は外に漏れることなく２重リブ１６に案内され、ドレンパン５に導かれる。
【００３８】
上述の実施の形態によれば、ドレンカバー９のドレンカバー固定リブ１４との接続部を二重のリブで形成することにより、ドレン水１５を確実にドレンパン５に案内して、ドレン水１５のドレンパン５外への滴下は起こらない。
【００３９】
この発明の実施の形態に係る空気調和装置は、ドレンカバーの固定部・接続部において、ドレンカバー側に二重リブを形成し、その二重リブの間にモーターバンドから形成されたドレンカバー固定リブを挿入するものである。
【００４０】
この発明の実施の形態に係る空気調和装置は、ドレンカバーのドレンカバー固定用リブとの接続部を二重のリブで形成することにより、露を確実にドレンパンに案内して、露のドレンパン外への滴下は起こらない。
【図面の簡単な説明】
【００４１】
【図１】実施の形態１を示す図で、空気調和機全体の断面図である。
【図２】実施の形態１を示す図で、空気調和機全体の正面図である。
【図３】実施の形態２を示す図で、空気調和機の断面図である。
【図４】実施の形態２を示す図で、空気調和機の断面図である。
【図５】実施の形態３を示す図で、空気調和機の断面図である。
【図６】実施の形態４を示す図で、空気調和機の断面図である。
【図７】実施の形態５を示す図で、空気調和機の部分上面図である。
【図８】実施の形態５を示す図で、空気調和機の部分正面図である。
【図９】実施の形態５を示す図で、空気調和機の部分断面図である。
【図１０】従来の空気調和機を示す正面図である。
【図１１】従来の他の空気調和機を示す正面図である。
【図１２】従来の他の空気調和機の部品図である。
【符号の説明】
【００４２】
１  熱交換器、２  熱交換器配管群、３  電磁弁、４  電気品ユニット、５  ドレンパン、６  フロントパネル、７  筐体、８  ラインフローファン（登録商標）、９  ドレンカバー、１０  モーター、１１  モーターバンド、１２  端子盤、１３  凹状部、１４  ドレンカバー固定リブ、１５  ドレン水、１６  ２重リブ、１７  固定ツメ、１８  リブ。
【図１】
2006184003.tif 000003
【図２】
2006184003.tif 000004
【図３】
2006184003.tif 000005
【図４】
2006184003.tif 000006
【図５】
2006184003.tif 000007
【図６】
2006184003.tif 000008
【図７】
2006184003.tif 000009
【図８】
2006184003.tif 000010
【図９】
2006184003.tif 000011
【図１０】
2006184003.tif 000012
【図１１】
2006184003.tif 000013
【図１２】
2006184003.tif 000014